(57)【特許請求の範囲】
【請求項１】
給紙トレイに積み重ねられた用紙に当接するピックアップローラと、このピックアップローラの搬送方向前方に配設したフィードローラと、このフィードローラに対して搬送方向直角に配設したリタードローラとを備え、前記用紙を一枚ずつ分離して送り出す印刷装置の給紙ローラ機構において、前記リタードローラのシャフトを回動自在に支持するローラ支持機構部と、前記シャフトの両側に直角方向へ突出させて取付けた左右一対のストッパレバーを、中間部が揺動自在に支持された規制ロッドにおける揺動支点の両側にそれぞれ係止させて前記リタードローラの回転を規制するローラ規制機構部とを備えることを特徴とする印刷装置の給紙ローラ機構。
【請求項２】
前記リタードローラと前記シャフト間に設けたワンウェイクラッチと、操作レバーの変位に応じて前記リタードローラを一方向へ所定角度だけ回動変位させるリンク機構部とを有するローテーション機構部を備えることを特徴とする請求項１記載の印刷装置の給紙ローラ機構。
【請求項３】
前記操作レバーは、前記給紙トレイの下降を許容するマニュアル操作レバーであることを特徴とする請求項２記載の印刷装置の給紙ローラ機構。
【請求項４】
前記リンク機構部は、先端係合部が前記ストッパレバーに係合することを特徴とする請求項２記載の印刷装置の給紙ローラ機構。
【請求項５】
前記ローラ支持機構部は、Ｕ形に切欠いた軸受部を左右に有するローラ支持部材と、前記シャフトに装填して前記軸受部に収容する左右一対のベアリングと、このベアリングを前記フィードローラに圧接する方向へ付勢する付勢機構部とを備えることを特徴とする請求項１記載の印刷装置の給紙ローラ機構。
【請求項６】
前記付勢機構部は、回動自在に支持され、かつ押端部が前記ベアリングに当接する左右一対の押当部材と、当該一対の押当部材間に架設して前記押端部を付勢するスプリングとを備えることを特徴とする請求項５記載の印刷装置の給紙ローラ機構。
【請求項７】
前記フィードローラの後段には、前記フィードローラ及び前記リタードローラに対して、左右方向の位置が異なり、かつ前後方向にオーバラップする上下一対のテイクアウェイローラを配設することを特徴とする請求項１記載の印刷装置の給紙ローラ機構。
【発明の詳細な説明】
【０００１】
【発明の属する技術分野】
本発明は、給紙トレイに積み重ねられた用紙を一枚ずつ分離して送り出す印刷装置の給紙ローラ機構に関する。
【０００２】
【従来の技術】
従来、名刺やハガキ等の比較的小型サイズの用紙に印刷を行う印刷装置は、例えば、特開平２−２０６５７３号公報等で知られている。
【０００３】
この種の印刷装置は、通常、多数の用紙がセットされた給紙機構から順次用紙が送り出されるとともに、送り出された用紙は前段搬送機構により印字機構まで搬送され、サーマルヘッドとインクリボンを用いた熱転写方式により印字される。そして、印字された用紙は後段搬送機構により搬送され、排紙トレイ上に排出される。この場合、給紙機構は、給紙トレイに積み重ねられた用紙に当接するピックアップローラと、このピックアップローラの搬送方向前方に配設したフィードローラと、このフィードローラに対して搬送方向直角に配設したリタードローラとを有する給紙ローラ機構を備え、この給紙ローラ機構により用紙を一枚ずつ分離して送り出すことができる。
【０００４】
【発明が解決しようとする課題】
ところで、この種の給紙ローラ機構において、用紙を一枚ずつ確実に分離し、常に安定した送り出し動作を維持するには、フィードローラに対するリタードローラの位置及び角度を正確に設定し、かつ正確な圧力バランスを確保する必要がある。
【０００５】
しかし、従来の給紙ローラ機構では、機構部品及び組付上における機械的な誤差が存在するとともに、例えば、リタードローラの使用面を変更するローテーション機構部等の付加機構部を付設する場合もあり、当該リタードローラの位置及び角度を正確に設定し、かつ正確な圧力バランスを容易に確保できない問題があった。
【０００６】
本発明はこのような従来の技術に存在する課題を解決したものであり、フィードローラに対するリタードローラの位置及び角度を正確に設定し、かつ正確な圧力バランスを容易に確保することにより、常に確実な分離動作と安定した送り出し動作を維持できる印刷装置の給紙ローラ機構の提供を目的とする。
【０００７】
【課題を解決するための手段及び実施の形態】
本発明は、給紙トレイ２に積み重ねられた用紙Ｐ…に当接するピックアップローラ３と、このピックアップローラ３の搬送方向前方に配設したフィードローラ４と、このフィードローラ４に対して搬送方向直角に配設したリタードローラ５とを備え、用紙Ｐを一枚ずつ分離して送り出す印刷装置Ｍの給紙ローラ機構１を構成するに際して、リタードローラ５のシャフト６を回動自在に支持するローラ支持機構部７と、シャフト６の両側に直角方向へ突出させて取付けた左右一対のストッパレバー８ｐ，８ｑを、中間部が揺動自在に支持された規制ロッド９における揺動支点Ｓｃの両側にそれぞれ係止させてリタードローラ５の回転を規制するローラ規制機構部１０とを備えることを特徴とする。これにより、リタードローラ５のシャフト６の両側に、直角方向へ突出する一対のストッパレバー８ｐ，８ｑを取付け、このストッパレバー８ｐと８ｑ間に位相差が生じても、当該位相差は規制ロッド９により吸収され、ローラ支持機構部７に支持されるリタードローラ５の位置及び角度が正確に設定される。
【０００８】
この場合、好適な実施の形態により、給紙ローラ機構１には、リタードローラ５とシャフト６間に設けたワンウェイクラッチ１２と、操作レバー、特に、給紙トレイ２の下降を許容するマニュアル操作レバー１３の変位に応じてリタードローラ５を一方向へ所定角度Ｑｒだけ回動変位させるリンク機構部１４とを有するローテーション機構部１５を備え、このリンク機構部１４は、先端係合部１４ｓがストッパレバー８ｐに係合する。また、ローラ支持機構部７は、Ｕ形に切欠いた軸受部１６ｐ，１６ｑを左右に有するローラ支持部材１７と、シャフト６に装填して軸受部１６ｐ，１６ｑに収容する左右一対のベアリング１８ｐ，１８ｑと、このベアリング１８ｐ，１８ｑをフィードローラ４に圧接する方向へ付勢する付勢機構部１９とを備え、さらに、この付勢機構部１９は、回動自在に支持され、かつ押端部２０ｐ，２０ｑがベアリング１８ｐ，１８ｑに当接する左右一対の押当部材２１ｐ，２１ｑと、当該一対の押当部材２１ｐ，２１ｑ間に架設して押端部２０ｐ，２０ｑを付勢するスプリング２２とを備える。他方、フィードローラ４の後段には、フィードローラ４及びリタードローラ５に対して、左右方向の位置が異なり、かつ前後方向にオーバラップする上下一対のテイクアウェイローラ２３ｉ，２３ｊを配設する。
【０００９】
【実施例】
次に、本発明に係る好適な実施例を挙げ、図面に基づき詳細に説明する。
【００１０】
まず、本発明の理解を容易にするため、本実施例に係る給紙ローラ機構１を備える印刷装置Ｍの概要について、図１１を参照して説明する。
【００１１】
印刷装置Ｍは、本体下部１０１と、この本体下部１０１に対して後部のヒンジ部１００を支点に上下に開閉する本体上部１０２を備える。図１１に示す印刷装置Ｍの右側が前面部Ｍｆとなり、この前面部Ｍｆに給紙機構１０３を配設する。そして、この給紙機構１０３から後部に向かって、前段搬送機構１０４，印字機構１０５，後段搬送機構１０６及び排紙トレイ機構１０７を順次配設する。なお、１０８は制御ユニット、１０９は操作パネルを示す。
【００１２】
給紙機構１０３は、多数の用紙Ｐ…をセットする給紙ガイド機構１１０と、この給紙ガイド機構１１０にセットされた多数の用紙Ｐ…から一枚ずつ用紙Ｐを送り出す本実施例に係る給紙ローラ機構１を備える。給紙ガイド機構１１０は、給紙エレベータ機構部１１１により上昇し、かつマニュアル操作レバー１３の操作により下降させることができる給紙トレイ２を備え、この給紙トレイ２上に多数の用紙Ｐ…が積み重ねられてセットされる。また、給紙トレイ２上にセットされた用紙Ｐ…の側部は、左右一対のガイドプレート１１３ｐ，１１３ｑを有するサイドガイド機構部１１４によりガイドされる。セットできる用紙Ｐ…は、横置きした名刺Ｐａ，縦置きしたハガキＰｂ，縦置きした封筒Ｐｃである。
【００１３】
前段搬送機構１０４は、テイクアウェイローラ機構１３０（本発明においては給紙ローラ機構１に含まれる），プリレジストローラ機構１３１，レジストローラ機構１３２を順次水平方向に配設して構成し、給紙ローラ機構１１０から送り出された用紙Ｐ…を印字機構１０５まで搬送する機能を有する。なお、各ローラ機構１３０〜１３２の間隔は、搬送する用紙Ｐ…の最小サイズよりも短い間隔に設定される。特に、プリレジストローラ機構１３１とレジストローラ機構１３２は、回転動作の制御により、搬送する用紙Ｐ…の角度（向き）を一定に揃えるスキュー修正機能と、搬送する用紙Ｐ…の間隔が開いた場合に、その間隔を詰める搬送間隔修正機能を備えている。
【００１４】
印字機構１０５は、搬送される用紙Ｐ…の上側にプラテンローラ１４２を配設するとともに、用紙Ｐ…の下側にインクリボン１４１及びＣ端面タイプのサーマルヘッド１４０を配して構成し、サーマルヘッド１４０とインクリボン１４１を用いた熱転写方式により印字する機能を有する。なお、インクリボン１４１は着脱式のリボンカセット１４３に収容される。
【００１５】
後段搬送機構１０６は、第一トランスローラ機構１５０，第二トランスローラ機構１５１，第三トランスローラ機構１５２，第四トランスローラ機構１５３，第五トランスローラ機構１５４及び第六トランスローラ機構１５５を順次配設して構成し、印字機構１０５により印字された用紙Ｐ…を、排紙トレイ機構１０７まで搬送する機能を有する。この場合、各ローラ機構１５０〜１５５により形成される搬送路Ｒは横Ｕ形となり、印字機構１０５から送り出された用紙Ｐ…は、Ｕターン状に搬送される。即ち、用紙Ｐ…は上方に向かって搬送された後、手前に送られて排出される。なお、各ローラ機構１５０〜１５５の間隔は、搬送する用紙Ｐ…の最小サイズよりも短い間隔に設定される。
【００１６】
排紙トレイ機構１０７は、排紙トレイ１６０を有し、この排紙トレイ１６０は、後段搬送機構１０６の排出側下方に配される。これにより、排紙トレイ１６０は本体上部１０２の上面部Ｍｕに配されるとともに、用紙Ｐ…は後段搬送機構１０６から手前に排出されるため、印字面が上を向いた状態で排紙トレイ１６０上に順次積み重ねられる。また、排紙トレイ１６０は後端が弾性支持機構１６１により支持され、載置される用紙Ｐ…の数量が多くなるに従って下降変位する。
【００１７】
次に、本実施例に係る給紙ローラ機構１の構成及び周辺構成となる給紙トレイ２を上昇させる給紙エレベータ機構部１１１の構成について、図１〜図１０を参照して説明する。
【００１８】
まず、給紙ローラ機構１は、図１〜図５に示すように、給紙トレイ２に積み重ねられた用紙Ｐ…の最上面に当接するピックアップローラ３と、このピックアップローラ３の搬送方向前方に配設したフィードローラ４と、このフィードローラ４に対して搬送方向直角に配設したリタードローラ５と、このフィードローラ４及びリタードローラ５の後段に配設したテイクアウェイローラ機構１３０（テイクアウェイローラ２３ｉ，２３ｊ）を備える。
【００１９】
フィードローラ４は、同軸上に固定したシャフト２１を有し、このシャフト２１はシャーシプレート２２により回動自在に支持されるとともに、一端には被動ギア２３を取付ける。また、シャフト２１にはピックアップローラ支持部材２４の一端部を回動自在に取付け、このピックアップローラ支持部材２４によりピックアップローラ３の同軸上に固定したシャフト２５を回動自在に支持する。そして、シャフト２１とシャフト２５は、シャフト２１に取付けた第一ギア２６，シャフト２５に取付けた第二ギア２７及び第一ギア２６と第二ギア２７間に配した伝達ギア２８からなる回転伝達ギア機構により接続する。これにより、シャフト２１からシャフト２５に対して同一方向及び同一速度の回転が伝達される。さらに、ピックアップローラ支持部材２４にはシャッタプレート２７を一体形成するとともに、このシャッタプレート２９により光路が開閉される位置に透過型の光センサ３０を配設する。
【００２０】
一方、リタードローラ５は同軸上にシャフト６を有し、このシャフト６は、図１及び図２に示すローラ支持機構部７によって回動自在に支持される。ローラ支持機構部７は、左右に軸受部１６ｐ，１６ｑをＵ形に切欠形成したローラ支持部材１７を有し、このローラ支持部材１７はシャーシプレート３１に一体に設ける。また、リタードローラ５とシャフト６間にはワンウェイクラッチ１２を設ける。これにより、リタードローラ５はシャフト６に対して一方向（搬送方向に対して逆方向）にのみ回動可能となる。さらに、リタードローラ５の両側に位置するシャフト６上には、左右一対のベアリング１８ｐ，１８ｑを装填するとともに、シャフト６の左右両端にはストッパレバー８ｐ，８ｑの一端をそれぞれ取付け、各ストッパレバー８ｐ，８ｑはシャフト６から直角方向に突出させる。この場合、シャフト６の左右両端はＤカットされており、ストッパレバー８ｐ，８ｑはシャフト６の周方向に規制される。なお、ストッパレバー８ｐ，８ｑはシャフト６に装着したＣリング等により抜け止めされるため、同時にベアリング１８ｐ，１８ｑもシャフト６に対して抜け止めされる。よって、図３に示す一体化したリタードローラユニットＵとして構成できる。これにより、組付時或いは交換時には、フィードローラ４を取外した状態にし、リタードローラユニットＵのベアリング１８ｐ，１８ｑを、それぞれ左右の軸受部１６ｐ，１６ｑにそのまま収容すればよく、ローラ支持機構部７に対するリタードローラ５の組付或いは交換をワンタッチで容易に行うことができる。
【００２１】
また、軸受部１６ｐ，１６ｑに収容したベアリング１８ｐ，１８ｑを、フィードローラ４に圧接する方向へ付勢する付勢機構部１９を設ける。この付勢機構部１９は、シャーシプレート３３に取付けた支軸部３４ｐ，３４ｑにより回動自在に支持され、かつ押端部２０ｐ，２０ｑがベアリング１８ｐ，１８ｑに当接する左右一対の押当部材２１ｐ，２１ｑを備えるとともに、当該一対の押当部材２１ｐと２１ｑ間に架設したスプリング２２を備える。よって、各押当部材２１ｐ，２１ｑは、当該スプリング２２の弾性力により等しい押圧力（荷重）によってベアリング１８ｐ，１８ｑを押圧し、正確な圧力バランスが容易に確保される。
【００２２】
さらに、シャーシプレート３３には、規制ロッド支持部３５を一体形成し、この規制ロッド支持部３５によって、規制ロッド９の中央に設けた球面軸受３６を支持する。これにより、規制ロッド９は球面軸受３６を介して中央部（揺動支点Ｓｃ）が揺動自在に支持されるとともに、規制ロッド９における当該揺動支点Ｓｃの両側に、上述したストッパレバー８ｐ，８ｑの先端側がそれぞれ係止する。ストッパレバー８ｐ，８ｑ及び規制ロッド支持部３５に支持される規制ロッド９は、リタードローラ５の回転を規制するローラ規制機構部１０を構成し、一対のストッパレバー８ｐと８ｑ間に位相差が生じても、当該位相差は規制ロッド９により吸収され、ローラ支持機構部７に支持されるリタードローラ５の位置及び角度が正確に設定される。
【００２３】
他方、図４及び図５に示すように、フィードローラ４の後段には、フィードローラ４及びリタードローラ５に対して、左右方向の位置が異なり、かつ前後方向にオーバラップする上下一対のテイクアウェイローラ２３ｉ，２３ｊを配設する。この場合、上側のテイクアウェイローラ２３ｉが駆動ローラ、下側のテイクアウェイローラ２３ｊが空転ローラとなり、テイクアウェイローラ機構１３０を構成する。また、各テイクアウェイローラ２３ｉ，２３ｊは、図５に示すように、それぞれ左右に離間した二個のローラ子を有し、このローラ子の間にフィードローラ４が配される。このような配置構成により、フィードローラ４とテイクアウェイローラ２３ｉ間の干渉が回避され、用紙Ｐはフィードローラ４からテイクアウェイローラ２３ｉに円滑に受け渡される。
【００２４】
一方、給紙エレベータ機構部１１１は、図７に示すように、シャーシプレート２２の左右両側に上下端を固定して鉛直方向に配した一対のガイドシャフト４２，４３を有する。各ガイドシャフト４２，４３には、水平方向に配した支持フレーム４４をスライド自在に装填する。この場合、支持フレーム４４の左端に設けた軸受部４５を左側のガイドシャフト４２に装填するとともに、支持フレーム４４の右端に設けた上下一対の軸受部４６ｉ，４６ｊをそれぞれ右側のガイドシャフト４３に装填する。なお、各軸受部４５，４６ｉ，４６ｊは、低摩擦係数素材により形成するとともに、特に、軸受部４５は図１０に示すように、左右方向に長い軸受孔を形成する。そして、支持フレーム４４には、図１０に示すように給紙トレイ２を装着する。給紙トレイ２はマグネット装着部４７を有し、支持フレーム４４に対して着脱可能である。
【００２５】
また、シャーシプレート２２の下端には、水平方向に配した伝達シャフト４８を回動自在に取付け、この伝達シャフト４８の左端には被動側プーリ４９を取付けるとともに、右端には駆動側歯付プーリ５０を取付ける。さらに、シャーシプレート２２の右側上部には駆動側歯付プーリ５０に対応する被動側歯付プーリ５１を回動自在に取付け、この被動側歯付プーリ５１と駆動側歯付プーリ５０間に無端のタイミングベルト５２を架け渡して二次側ベルト伝達機構を構成する。そして、支持フレーム４４に一体形成した結合片部４４ｓとタイミングベルト５２は、タイミングベルト用固定部材５３により結合する。
【００２６】
他方、図１に示すように、シャーシプレート２２の左側上部には、水平方向に配したロッドリンク５４を回動自在に取付ける。この場合、ロッドリンク５４は、リタードローラ５のシャフト６に対して同軸上に配し、かつ取付けたシャーシプレート２２から内方に突出する。そして、ロッドリンク５４の内端にＬ形のレバーリンク５５の一端を固定してクランクを構成し、レバーリンク５５の先端に形成した先端係合部１４ｓを、一方のストッパレバー８ｐに設けた割溝８ｐｓに挿入して係合させる。このロッドリンク５４とレバーリンク５５は、リンク機構部１４を構成する。
【００２７】
また、シャーシプレート２２の外方に位置するロッドリンク５４には、マニュアル操作レバー１３の一端を固定する。マニュアル操作レバー１３は、ロッドリンク５４に固定したレバーベース部５６と、このレバーベース部５６に一対の連結ロッド５７ｉ，５７ｊを介して固定したレバー本体部５７と、レバーベース部５６に固定したプーリ支持部材５８を含む。この場合、連結ロッド５７ｉ，５７ｊはシャーシプレート２２に設けた孔部を貫通する。マニュアル操作レバー１３及びリンク機構部１４は、マニュアル操作レバー１３の変位に応じてリタードローラ５を一方向へ所定角度Ｑｒだけ回動変位させるローテーション機構部１５を構成する。
【００２８】
一方、プーリ支持部材５８はコの字形に形成し、その内側に被動側プーリ４９に対応する駆動側プーリ５９を回動自在に取付けるとともに、プーリ支持部材５８は、対シャーシプレート２２間に架設したスプリング６０によって上方へ付勢される。そして、被動側プーリ４９と駆動側プーリ５９間には、無端の丸ベルト６３を架け渡して一次側ベルト伝達機構を構成する。また、駆動側プーリ５９の同軸上にはワンウェイクラッチ６２を介して接続した被動ギア６１を設ける。さらに、図８に示すように、伝達シャフト４８の左端であって、被動側プーリ４９の内方にはアーム６４の一端を回動自在に取付けるとともに、アーム６４の他端に補助ローラ６５を回動自在に取付ける。アーム６４は、対シャーシプレート２２間に架設したコイルスプリング６６により付勢され、補助ローラ６５は丸ベルト６３の内側に圧接する。
【００２９】
図６には、給紙ローラ機構１と給紙エレベータ機構部１１１の駆動制御系Ｄを示す。７１は給紙ローラ機構１と給紙エレベータ機構部１１１に共通に用いられる駆動モータであり、この駆動モータ７１の回転シャフトに取付けた駆動ギア７２は、伝達ギア７３，７４を介して中間ギア７５に接続する。また、中間ギア７５は、伝達ギア７６を介して第一ギア２６に接続するとともに、中間ギア７５は、伝達ギア７７，７８，７９，８０，８１を介して被動ギア６１に接続する。この場合、伝達ギア７８と７９間には、伝達ギア７８と７９を接続又は切離する電磁クラッチ８２を設ける。そして、電磁クラッチ８２，駆動モータ７１及び光センサ３０は、制御ユニット１０８に接続する。
【００３０】
次に、本実施例に係る給紙ローラ機構１及び給紙エレベータ機構部１１１の動作（機能）について、各図を参照して説明する。
【００３１】
まず、用紙Ｐ…は給紙トレイ２上に積み重ねてセットする。この場合、給紙トレイ２は、用紙Ｐ…を使い切ることにより最上方位置に移動するため、給紙トレイ２をマニュアル操作により下降させる。即ち、図８に示すように、マニュアル操作レバー１３を仮想線で示す位置まで押し下げれば、駆動側プーリ５９が下降し、丸ベルト６３は弛んだ状態となる。この結果、被動側プーリ４９は回動自由となり、給紙トレイ２を手で容易に押し下げることができる。この際、補助ローラ６５は比較的弱い弾性により丸ベルト６３を押し広げるように作用するため、被動側プーリ４９及び駆動側プーリ５９に対する丸ベルト６３の脱落が防止される。
【００３２】
そして、用紙Ｐ…をセットしたなら、給紙トレイ２を手で押し上げ、用紙Ｐ…の最上面をピックアップローラ３に当接させる。この際、ワンウェイクラッチ６２の存在により、給紙トレイ２はマニュアル操作レバー１３を操作しなくても自由に上昇させることができる。
【００３３】
ところで、マニュアル操作レバー１３を押し下げれば、同時に、ロッドリンク５４がマニュアル操作レバー１３の変位（操作量）に応じて回動する。この結果、先端係合部１４ｓが旋回変位し、係合するストッパレバー８ｐを図８中仮想線の位置まで回動変位させるため、リタードローラ５もストッパレバー８ｐ…の回動変位に追従して、所定角度Ｑｒだけ回動変位する。一方、マニュアル操作レバー１３を戻した際には、ワンウェイクラッチ１２によりストッパレバー８ｐ…のみが逆方向に回動変位し、リタードローラ５は回動しない。よって、マニュアル操作レバー１３を操作する毎に、リタードローラ５の使用周面がローテーションし、リタードローラ５における一部の周面のみが集中して使用される不具合が解消される。
【００３４】
次いで、不図示のスタートボタンを押せば、駆動モータ７１が回転し、ピックアップローラ３及びフィードローラ４が回転するとともに、他の駆動系によりテイクアウェイローラ機構１３０及び前段搬送機構１０４が作動する。この際、ピックアップローラ３の回転により、積み重ねられた用紙Ｐ…が上側からフィードローラ４に供給される。また、リタードローラ５はワンウェイクラッチ１２及び規制ロッド９に係止するストッパレバー８ｐ，８ｑにより搬送方向には回動しないため、複数枚の用紙Ｐ…が供給されても、リタードローラ５の作用により一枚の用紙Ｐのみが分離されて順次送り出される。この場合、電磁クラッチ８２はオフになっている。したがって、伝達ギア７８と７９は切離状態となり、給紙エレベータ機構部１１１は停止している。
【００３５】
一方、用紙Ｐが送り出されると、図４に仮想線で示すように、ピックアップローラ３が下方変位し、さらに、シャッタプレート２９も下方変位する。これにより、光センサ３０がシャッタプレート２９の下方変位を検出する検出状態になれば、制御ユニット１０８は電磁クラッチ８２をオンにする制御を行う。この結果、伝達ギア７８と７９は接続状態となり、給紙エレベータ機構部１１１が作動して給紙トレイ２を上昇させる。そして、給紙トレイ２が上昇し、光センサ３０が非検出状態になれば、制御ユニット１０８は電磁クラッチ８２をオフにする制御、即ち、給紙エレベータ機構部１１１を停止させる制御を行う。よって、給紙トレイ２上における用紙Ｐ…の上面位置は、常に一定範囲の高さに維持される。また、動作（機能）の異なる給紙ローラ機構１と給紙エレベータ機構部１１１は、単一の駆動モータ７１を内蔵する駆動制御系Ｄにより駆動される。
【００３６】
以上、実施例について詳細に説明したが、本発明はこのような実施例に限定されるものではなく、細部の構成，形状，数量，素材，手法等において、本発明の要旨を逸脱しない範囲で任意に変更，追加，削除することができる。
【００３７】
【発明の効果】
このように、本発明に係る印刷装置の給紙ローラ機構は、リタードローラのシャフトを回動自在に支持するローラ支持機構部と、当該シャフトの両側に直角方向へ突出させて取付けた左右一対のストッパレバーを、中間部が揺動自在に支持された規制ロッドにおける揺動支点の両側にそれぞれ係止させてリタードローラの回転を規制するローラ規制機構部とを備えるため、次のような顕著な効果を奏する。
【００３８】
▲１▼  一対のストッパレバー間に位相差を生じても、当該位相差は規制ロッドにより吸収されるため、ローラ支持機構部に支持されるリタードローラの位置及び角度を正確かつ容易に設定でき、常に、確実な分離動作と安定した送り出し動作を維持できる。
【００３９】
▲２▼  好適な実施の形態により、リタードローラに対するマニュアル操作レバーを利用したローテーション機構部を設ければ、マニュアル操作レバーを操作する毎に、リタードローラの使用周面がローテーションし、リタードローラにおける一部の周面のみが集中して使用される不具合を解消できる。
【００４０】
▲３▼  好適な実施の形態により、左右一対の押当部材と当該押当部材間に架設したスプリングにより付勢機構部を構成すれば、左右等しい押圧力（荷重）によってリタードローラのシャフトを付勢できるため、正確な圧力バランスを容易に確保できる。
【００４１】
▲４▼  好適な実施の形態により、フィードローラの後段に、フィードローラ及びリタードローラに対して、左右方向の位置が異なり、かつ前後方向にオーバラップする上下一対のテイクアウェイローラを配設すれば、フィードローラとテイクアウェイローラ間の干渉を回避し、用紙をフィードローラからテイクアウェイローラに円滑に受け渡すことができる。
【図面の簡単な説明】
【図１】本発明の好適な実施例に係る給紙ローラ機構の要部を示す一部断面正面図、
【図２】図１中Ａ−Ａ線断面図、
【図３】同給紙ローラ機構におけるリタードローラユニットの正面図、
【図４】同給紙ローラ機構の一部を抽出して示す側面図、
【図５】同給紙ローラ機構の一部を抽出して示す平面図、
【図６】同給紙ローラ機構と給紙エレベータ機構部の駆動制御系の構成図、
【図７】給紙エレベータ機構部の正面構成図、
【図８】給紙エレベータ機構部の左側面構成図、
【図９】給紙エレベータ機構部の右側面構成図、
【図１０】給紙エレベータ機構部に装着した給紙トレイの底面図、
【図１１】同給紙ローラ機構を備える印刷装置の概要図、
【符号の説明】
１        給紙ローラ機構
２        給紙トレイ
３        ピックアップローラ
４        フィードローラ
５        リタードローラ
６        シャフト
７        ローラ支持機構部
８ｐ…    ストッパレバー
９        規制ロッド
１０      ローラ規制機構部
１２      ワンウェイクラッチ
１３      マニュアル操作レバー
１４      リンク機構部
１４ｓ    先端係合部
１５      ローテーション機構部
１６ｐ…  軸受部
１７      ローラ支持部材
１８ｐ…  ベアリング
１９      付勢機構部
２０ｐ…  押端部
２１ｐ…  押当部材
２２      スプリング
２３ｉ…  テイクアウェイローラ
Ｐ…      用紙
Ｍ        印刷装置
Ｓｃ      揺動支点
Ｑｒ      所定角度
【図１】
0003768742.tif 000002
【図２】
0003768742.tif 000003
【図３】
0003768742.tif 000004
【図４】
0003768742.tif 000005
【図５】
0003768742.tif 000006
【図６】
0003768742.tif 000007
【図７】
0003768742.tif 000008
【図８】
0003768742.tif 000009
【図９】
0003768742.tif 000010
【図１０】
0003768742.tif 000011
【図１１】
0003768742.tif 000012